(57)【特許請求の範囲】
【請求項１】
各小売店が管理し、各種商品の広告情報を、表題部分を含む背景画面とともにＷＥＢページ上に掲載する広告情報提供サーバと、前記商品の詳細情報を管理する製造元サーバとが、通信ネットワークを介して接続された広告情報提供システムであって、
任意のユーザ端末により前記ＷＥＢページ上の任意の商品が選択されたとき、その詳細要求情報が前記表題部分を含む背景画面とともに前記広告情報提供サーバから該当する製造元サーバに送信され、製造元サーバでは、詳細要求情報に基づいて該当する商品の詳細情報を取り出し、これを前記表題部分を含む背景画面に掲載して前記ユーザ端末に送信することにより、当該詳細情報のＷｅｂページの表題を、前記広告情報提供サーバが前記ユーザ端末に提供しているＷｅｂページの表題と同じ表題として送信することを特徴とする広告情報提供システム。
【発明の詳細な説明】
【０００１】
【発明の属する技術分野】
本発明は、各種商品の広告情報を管理し、ＷＥＢページ上に掲載して提供する広告情報提供サーバと、前記商品の詳細情報を管理する製造元サーバとが、通信ネットワークを介して接続された広告情報提供システムに関する。
【０００２】
【従来の技術】
小売店などが開設しているホームページ（ＷＥＢページ）においてＣＭ部分をクリックすると、該当するサーバに飛んで、そのＣＭの詳細説明のページを表示する、といった形で種々のＷＥＢページがリンクされたシステムが、従来から構築されている。
【０００３】
【発明が解決しようとする課題】
このシステムでは、最初のホームページ画面から、表示されているＣＭ部分をクリックして、そのＣＭ部分の詳細説明のページに飛んだ場合、最初のホームページ画面を提供しているサーバと、ＣＭ部分の詳細説明のページを提供しているサーバとが異なる場合には、サーバが代わった途端に、最初のホームページ画面とは全く関連性のない、表題部分の違うページが現れることになる。
【０００４】
そのため、ユーザにとっては、最初のホームページ画面と、次の詳細説明の画面とが関連性のあるものなのかどうかが分からないため、例えば、その詳細説明の画面を見て、その商品を購入しようとした場合、どこに発注すればよいのかが分かりずらいといった問題があった。
【０００５】
また、小売店が各種商品を掲載したホームページをネット上に提供している場合に、ユーザが、掲載されている任意の商品の詳細を知りたいためにその商品をクリックしたとき、全く異なる表題部分のページに飛んでしまうと、その小売店が立ち上げたホームページの宣伝効果が薄れてしまうといった問題もあった。
【０００６】
本発明はかかる問題点を解決すべく創案されたもので、その目的は、小売店等が立ち上げたホームページの宣伝効果を損なうことなく、その商品の詳細説明等を製造メーカのサーバから、ユーザに提供することのできる広告情報提供システムを提供することにある。
【０００７】
【課題を解決するための手段】
上記課題を解決するため、本発明の広告情報提供システムは、各小売店が管理し、各種商品の広告情報を、表題部分を含む背景画面とともにＷＥＢページ上に掲載する広告情報提供サーバと、前記商品の詳細情報を管理する製造元サーバとが、通信ネットワークを介して接続された広告情報提供システムであって、任意のユーザ端末により前記ＷＥＢページ上の任意の商品が選択されたとき、その詳細要求情報が前記表題部分を含む背景画面とともに前記広告情報提供サーバから該当する製造元サーバに送信され、製造元サーバでは、詳細要求情報に基づいて該当する商品の詳細情報を取り出し、これを前記表題部分を含む背景画面に掲載して前記ユーザ端末に送信することにより、当該詳細情報のＷｅｂページの表題を、前記広告情報提供サーバが前記ユーザ端末に提供しているＷｅｂページの表題と同じ表題として送信することを特徴とする。
【０００８】
このような特徴を有する本発明によれば、広告情報提供サーバによって管理されているＷＥＢページ上に掲載されている商品の写真部分を、購入検討者や興味を持った者（ユーザ）がクリックした場合、その商品の製造元サーバに飛んで、その商品の詳細情報をユーザに提供することになるが、この時点で、画面上部の表題は、広告情報提供サーバを管理している小売店の名前のままとなっており、その下欄の商品説明欄に、製造元サーバの提供するその商品の詳細説明が表示されることになる。すなわち、その商品の詳細説明は、あくまでその小売店のＷＥＢページの詳細説明として掲載される仕組みとなっている。
【０００９】
また、本発明の広告情報提供システムは、前記詳細情報が表示されたＷＥＢページ上の戻るボタンがユーザによりクリックされたときには、前記製造元サーバから前記広告情報提供サーバに対してＷＥＢページ画面に戻る指示情報が送信され、前記広告情報提供サーバは、この指示情報を受信することにより、詳細要求情報を送信する前のＷＥＢページ画面を前記ユーザ端末に対して送信する構成としてもよい。
【００１０】
このような構成とすれば、広告情報提供サーバにアクセスしたときの最初のＷＥＢページ画面から、商品の詳細情報を表示する画面に切り換わり、その詳細情報画面から最初のＷＥＢページ画面に戻るといった操作を行った場合でも、画面上は、あたかも広告情報提供サーバが全ての情報を提供しているように表示することができる。つまり、ユーザに対しては、通信相手のサーバが代わっているにも係わらず、最初にアクセスした広告情報提供サーバによって提供されているＷＥＢページ上での操作であるかのように認識させることができる。これにより、製造元サーバを管理する製造メーカでは、広告情報提供サーバを管理している小売店のサポートとして、メーカ側の責任において商品を説明し、販売促進の一助とすることができる。
【００１１】
また、本発明の広告情報提供システムは、前記広告情報提供サーバのＷＥＢページ上に掲載されている商品情報を、その商品の製造元サーバから書き換え可能に設けられていてもよい。
【００１２】
このような構成とすれば、小売店側では、例えば自店のおすすめ商品については店側で管理し、その他の商品については、製造元に管理を任すことで、その小売店で管理する商品の在庫数などを減らすことができる。また、製造元においても、新商品を開発したときには、その商品をすぐさま小売店のＷＥＢページ上に掲載することができるメリットがある。また、製造元において、ＷＥＢページ上に掲載されている商品の在庫が少なくなって、在庫切れを生じる可能性が出て来た場合、製造元サーバから広告情報提供サーバのＷＥＢページ上の商品を差し替えることで、その商品の在庫切れを防止することができる。つまり、生産調整による在庫管理のみならず、小売店のＷＥＢページ上に掲載する商品を変更するといった販売調整によっても在庫を管理できるため、在庫管理の効率化を図ることができる。
【００１３】
【発明の実施の形態】
以下、本発明の実施の形態について、図面を参照して説明する。
【００１４】
図１は、本発明の広告情報提供システム全体の概略構成を示している。
【００１５】
すなわち、ＷＥＢページ上に掲載する各種商品の広告情報を管理する広告情報提供サーバ１と、各種商品を供給する製造元サーバ２，２・・・と、ユーザ端末３，３・・・とが、インターネット等の通信ネットワークＮによって接続された構成となっている。
【００１６】
広告情報提供サーバ１は、ユーザ端末３に対しては、例えば商品の写真入りの広告情報をＷＥＢページ上に掲載して提供し、そのＷＥＢページ上で、商品購入の決済が行えるようになっている。また、ユーザ端末３を操作するユーザが、表示された商品の写真部分をクリックすると、その商品の製造元サーバ２に飛ぶようになっている。そのため、広告情報提供サーバ１では、ＷＥＢページ上に掲載している各商品の商品コードと、その商品の製造メーカが管理している製造元サーバ２のＩＰアドレスとを対応させて、図示しないアドレス管理データベースに格納している。
【００１７】
一方、製造元サーバ２では、自社で製造している商品の詳細情報を作成し、これを商品コードに対応させて商品データベースに保存している。そして、通信ネットワークＮを経由して例えばＡ商店から商品説明要求のアクセスがあると、該当商品の詳細説明情報を、送信されてきた商品コードをキーとして商品データベースから読み出し、その読み出した商品情報を、送信されてきたＡ商店の識別コードに基づき、表題を「Ａ商店」としたＷＥＢページ上の商品説明欄に掲載して、ユーザ端末３に送信する。このＷＥＢページの表題部分は、広告情報提供サーバ１からユーザ端末３に対して最初に送信されたＷＥＢページの表題と全く同じ表題となっている。そのため、製造元サーバ２では、商品を出荷している各小売店の名称を表題とする商品説明用のＷＥＢページを、各小売店の識別コードと対応させて用意している。なお、表題を含むＷＥＢページの背景画面は、各小売店のオリジナリティに合わせた壁紙やレイアウトにすることが可能である。
【００１８】
このような構成によれば、製造元サーバ２を管理する製造メーカは、商品の詳細説明を、メーカの立場にたって詳しく作成することができるとともに、必要に応じていつでも、その詳細説明を更新することができる。また、新規の商品を出荷する場合でも、その新規の商品の詳細説明を作成して、自社の製造元サーバ２の商品データベースに保存するだけでよいといった利点がある。一方、広告情報提供サーバ１を管理する小売店側でも、商品の説明をいちいち作成して、広告情報提供サーバ１に保存しておく必要がないので、サーバ１の保守、管理が容易になるといった利点がある。
【００１９】
次に、上記構成の広告情報提供システムによる処理動作を、図２に示すＷＥＢページ画面の遷移例を参照して説明する。
【００２０】
図２（ａ）は、Ａ商店が管理する広告情報提供サーバ１のＷＥＢページ上に掲載されている各種商品の広告情報の一例を示している。
【００２１】
このＷＥＢページ画面（広告画面）では、上部にこのページの表題である「Ａ商店」の名称１１が表示されており、その下に、Ａ商店で取り扱っている各種商品の写真１２ａ，１２ｂ・・・と、その商品１２ａ，１２ｂ・・・の販売金額と簡単な説明１３ａ，１３ｂ・・・とが表示されている。
【００２２】
ユーザ端末３を使用してこのＷＥＢページにアクセスしたユーザは、その広告画面の例えば右上隅に表示されている「次へ」のボタン１５をクリックすることで、次の商品一覧が順次表示されるようになっている。また、「戻る」のボタン１６をクリックすると、１つ前のページに戻るようになっている。
【００２３】
また、ユーザが、ＷＥＢページ上に表示されている任意の商品（例えば１２ｂ）のより詳細な情報が欲しい場合には、その商品１２ｂの写真部分をクリックする。これにより、広告情報提供サーバ１は、その商品１２ｂの商品コードをキーとして、アドレス管理データベースから、該当する製造元サーバ２のＩＰアドレスを読み出し、そのＩＰアドレスの製造元サーバ２に対して、Ａ商店の識別コードおよび商品コードとともに、詳細情報の要求信号を送信する。
【００２４】
製造元サーバ２では、この詳細情報要求信号を識別コードおよび商品コードとともに受信すると、商品コードをキーとして、該当する商品１２ｂの詳細説明情報を商品データベースから読み出し、その読み出した商品情報を、識別コードをキーとして読み出した表題がＡ商店となっているＷＥＢページの詳細説明欄に、その詳細説明情報を掲載して、ユーザ端末３に送信する。
【００２５】
図２（ｂ）は、このようにして、製造元サーバ２からユーザ端末３に対して送信された商品１２ｂの詳細説明のＷＥＢページ画面例を示している。このＷＥＢページの表題部分２１は、広告情報提供サーバ１からユーザ端末３に対して最初に送信されたＷＥＢページの表題部分１１と全く同じ表題となっている。すなわち、その商品１２ｂの詳細説明は、あくまでその小売店（Ａ商店）のＷＥＢページの詳細説明として掲載され、ユーザに提供されるようになっている。
【００２６】
ユーザは、この詳細説明のＷＥＢページ画面を見て、例えば、その画面に表示されている「戻る」ボタン２２をクリックすると、同図（ａ）に示す最初のＷＥＢページ画面に戻ることになる。また、ユーザが、その画面に表示されている「購入」ボタン２３をクリックすると、その画面上に例えば「ありがとうございます。」といったメッセージを表示した後、同図（ａ）に示す最初のＷＥＢページ画面に戻る。また、製造元サーバ２は、広告情報提供サーバ１に対して商品購入情報を送信する。
【００２７】
この商品購入情報を受信した広告情報提供サーバ１は、図示しない発注画面を表示し、ユーザに対して、代金決済のための種々の情報入力を要求する。この要求に対してユーザが必要な情報の入力（代金決済のためのクレジットカード番号の入力（代引き等でも可）や、配送先の住所、氏名、電話番号等の入力）を行い、図示しない発注ボタンをクリックすることで、発注処理（小売店にとっては受注処理）を完了する。このように、最終的な決済は、その小売店（Ａ商店）のＷＥＢページに戻って行われることになる。
【００２８】
以上説明したように、Ａ商店のＷＥＢページ上で任意の商品がクリックされた場合は、表題はＡ商店のままで該当する製造元サーバ２から商品説明が行われ、Ｂ商店のＷＥＢページ上で同じ商品がクリックされた場合は、表題はＢ商店のままで同じ製造元サーバ２から商品説明が行われ、Ｃ商店のＷＥＢページ上で同じ商品がクリックされた場合は、表題はＣ商店のままで同じ製造元サーバ２から商品説明が行われるようになっている。そして、商品説明の画面上で「戻る」ボタン２２または「購入」ボタン２３がクリックされた場合、Ａ商店を経由している場合にはＡ商店のＷＥＢページに戻り、Ｂ商店を経由している場合にはＢ商店のＷＥＢページに戻り、Ｃ商店を経由している場合にはＣ商店のＷＥＢページに戻るようになっている。
【００２９】
なお、上記実施形態では、１つの小売店（Ａ商店）のＷＥＢページ上に掲載されている各商品の製造元については何も限定していないが、例えば商品１２ａの製造元は製造メーカＬであり、商品１２ｂの製造元は製造メーカＭであり、商品１２ｃの製造元は製造メーカＮであるというように、掲載している商品ごと（若しくは複数の商品ごと）に製造メーカが異なり、そのため、その商品がクリックされることにより、飛んでいく製造元サーバ２が異なる場合でも、本発明の適用が可能であることは、上記の説明からも明らかである。
【００３０】
また、上記実施形態では、図２（ｂ）に示す画面上で「購入」ボタン２３がクリックされたときに表示するメッセージの一例として、「ありがとうございます。」といったメッセージを例に挙げているが、このメッセージにつていも、各製造メーカが、種々工夫を凝らせて表示することが可能である。例えば、「Ｔｈａｎｋ  ｙｏｕ」、「Ｔｈａｎｋ  ｙｏｕ  ｖｅｒｙ  ｍｕｃｈ」といった英語表示や、大阪であれば「おおきに」や「まいど」といった大阪弁で表示することで、親しみ易い好印象をユーザに与えることも可能である。
【００３１】
さらに、上記実施形態では、各小売店の表題部分を含む背景画面を各製造メーカの製造元サーバ２で管理しているため、各小売店でＷＥＢページの表題部分を含む背景画面を変更した場合には、これを製造メーカにも通知して、変更してもらう必要が生じる。そこで、このような場合には、製造元サーバ２で管理されている自店のＷＥＢページを、広告情報提供サーバ１側からの変更可能とする。これにより、各小売店で管理しているＷＥＢページの表題部分および背景画面と、製造元サーバ２で管理している各小売店のＷＥＢページ表題部分および背景画面とが一致しなくなるといった不具合を解消することができる。
【００３２】
さらにまた、上記実施形態では、各小売店の表題部分を含む背景画面を各製造メーカの製造元サーバ２で管理しているが、任意の商品の写真部分がクリックされたとき、この表題部分を含む背景画面のデータも、詳細情報要求信号とともに製造元サーバ２側に送信し、製造元サーバ２側で、送られてきた表題部分を含む背景画面にその商品の詳細説明情報を掲載して、ユーザ端末３に送信するようにしてもよい。このようにすると、小売店側がＷＥＢページの表題部分を含む背景画面を変更した場合でも、製造元サーバ２側で何ら対応処置をとらなくても、変更後の表題部分を含む詳細説明のＷＥＢページを、ユーザ端末３に送信することができるといった利点がある。
【００３３】
なお、本発明の広告情報提供システムでは、広告情報提供サーバ１のＷＥＢページ上に掲載されている商品（写真）１２ａ，１２ｂ・・・を、その商品の製造元サーバ２，２・・・から書き換え可能に設けてもよい。例えば、製造メーカＬの製造した商品１２ａについては、製造メーカＬの管理する製造元サーバ２から随時書き換え可能とし、製造メーカＭの製造した商品１２ｂについては、製造メーカＭの管理する製造元サーバ２から随時書き換え可能とし、製造メーカＮの製造した商品１２ｃについては、製造メーカＮの管理する製造元サーバ２から随時書き換え可能としてもよい。このように、掲載している各商品１２ａ，１２ｂ・・・の管理を、各製造メーカに任すことで、その小売店で管理する商品の在庫数などを減らすことができる。
【００３４】
また、製造メーカ側においても、新商品を開発し生産を開始したときには、その商品をすぐさま小売店のＷＥＢページ上に掲載することができるメリットがある。また、製造メーカにおいて、ＷＥＢページ上に掲載されている自社の商品の在庫が少なくなって、在庫切れを生じる可能性が出て来た場合、製造元サーバ２から広告情報提供サーバ１のＷＥＢページ上の自社商品を差し替えることで、その商品の在庫切れを防止することができる。つまり、生産調整による在庫管理のみならず、小売店のＷＥＢページ上に掲載する商品を変更するといった販売調整によっても在庫を管理できるため、在庫管理の効率化を図ることができる。
【００３５】
また、小売店側においても、ＷＥＢページ上の全ての商品の管理を各製造メーカに任せるのではなく、小売店のおすすめ商品についてはその広告を店側で管理し、その他の商品についてのみ、製造メーカに管理を任すことで、小売店側の努力と製造メーカ側の努力との相乗効果により、ＷＥＢページの広告宣伝効果をより向上させることができるものである。
【００３６】
【発明の効果】
本発明の広告情報提供システムによれば、広告情報提供サーバによって管理されているＷＥＢページ上に掲載されている商品の写真部分を、購入検討者や興味を持った者（ユーザ）がクリックした場合、その商品の製造元サーバに飛んで、その商品の詳細情報をユーザに提供することになるが、この時点で、画面上部の表題は、広告情報提供サーバを管理している小売店の名前のままとなっており、その下欄の商品説明欄に、製造元サーバから取得したその商品の詳細説明が表示されることになる。すなわち、その商品の詳細説明は、あくまでその小売店のＷＥＢページの詳細説明として掲載されるため、ユーザは、各種の操作を、一貫して最初にアクセスした小売店の広告情報提供サーバとのやり取りとして認識することができる。また、製造元サーバを管理する製造メーカは、商品の詳細説明を、メーカの立場にたって詳しく作成することができるとともに、必要に応じていつでも、その詳細説明を更新することができる。また、新規の商品を出荷する場合でも、その新規の商品の詳細説明を作成して、自社の製造元サーバの商品データベースに保存するだけでの簡単な操作で、本システムを維持することができる。一方、広告情報提供サーバを管理する小売店側でも、商品の説明をいちいち作成して、広告情報提供サーバに保存しておく必要がないので、サーバの保守、管理が容易になる。さらに、小売店側がＷＥＢページの表題部分を含む背景画面を変更した場合でも、製造元サーバ側で何ら対応処置をとらなくても、変更後の表題部分を含む詳細説明のＷＥＢページを、ユーザ端末に送信することができる。
【００３７】
また、本発明の広告情報提供システムによれば、広告情報提供サーバにアクセスしたときの最初のＷＥＢページ画面から、商品の詳細情報を表示する画面に切り換わり、その詳細情報画面から最初のＷＥＢページ画面に戻るといった操作を行った場合でも、画面上は、あたかも広告情報提供サーバが全ての情報を提供しているように表示することができる。つまり、ユーザに対しては、通信相手のサーバが代わっているにも係わらず、最初にアクセスした広告情報提供サーバによって提供されているＷＥＢページ上での操作であるかのように認識させることができる。これにより、製造元サーバを管理する製造メーカでは、広告情報提供サーバを管理している小売店のサポートとして、メーカ側の責任において商品を説明し、販売促進の一助とすることができる。
【００３８】
また、本発明の広告情報提供システムによれば、広告情報提供サーバのＷＥＢページ上に掲載されている商品情報を、その商品の製造元サーバから書き換え可能とすることにより、小売店側では、例えば自店のおすすめ商品については店側で管理し、その他の商品については、製造元に管理を任すことで、その小売店で管理する商品の在庫数などを減らすことができる。また、製造元においても、新商品を開発したときには、その商品をすぐさま小売店のＷＥＢページ上に掲載することができる。また、製造元において、ＷＥＢページ上に掲載されている商品の在庫が少なくなって、在庫切れを生じる可能性が出て来た場合、製造元サーバから広告情報提供サーバのＷＥＢページ上の商品を差し替えることで、その商品の在庫切れを防止することができる。つまり、生産調整による在庫管理のみならず、小売店のＷＥＢページ上に掲載する商品を変更するといった販売調整によっても在庫を管理できるため、在庫管理の効率化を図ることができるものである。
【図面の簡単な説明】
【図１】本発明の広告情報提供システム全体の概略構成を示している。
【図２】ＷＥＢページ画面の遷移状態を示す説明図である。
【符号の説明】
１  広告情報提供サーバ
２  製造元サーバ
３  ユーザ端末
【図１】
0004094209.tif 000002
【図２】
0004094209.tif 000003